(57)【要約】【課題】看護士等が一人であっても患者の移載が容易にできるよう構成した移載ベルトを提供すること。【解決手段】ストレッチャーとベッド等の移載対象物との間を往復して患者の移載を行う移載ベルトにおいて、該移載ベルトの移載対象物側の一側縁部には補助ベルトを配設し、該補助ベルトは前記移載ベルト上に患者を載せた際にストレッチャー側から把持できる長さとして、移載時に該補助ベルトにより患者を保持できるよう構成した補助ベルトを備える。【選択図】図１
2008206554.tif 000002
【特許請求の範囲】
【請求項１】
ストレッチャーとベッド等の移載対象物との間を往復して患者の移載を行う移載ベルトにおいて、該移載ベルトの移載対象物側の一側縁部には補助ベルトを配設し、該補助ベルトは前記移載ベルト上に患者を載せた際にストレッチャー側から把持できる長さとして、移載時に該補助ベルトにより患者を保持できるよう構成した補助ベルトを備えたことを特徴とする移載ベルト。
【請求項２】
前記補助ベルトを患者の腰部を保持する位置に配設したことを特徴とする請求項１に記載の移載ベルト。
【請求項３】
前記補助ベルトに薄板状の把持部材を装着したことを特徴とする請求項１あるいは請求項２の何れか一項に記載の移載ベルト。
【発明の詳細な説明】
【技術分野】
【０００１】
本発明は、患者や高齢者等の下に敷き込み、患者や高齢者をベッドと他のベッド等、例えばベッドやストレッチャーとの間で、簡単に移載させることが可能な移載ベルトに関するものである。
【背景技術】
【０００２】
従来、ベッドとストレッチャー等との間での患者の移動には、患者が仰臥しているシーツごと、複数の看護士等が持ち上げて行っていた。
そのため、看護士の職業病のひとつとして腰痛が挙げられるほど、この患者の移載業務は腰に負担の掛かるものである。
【０００３】
そこで、これを解消すべくストレッチャーに移載用のベルトを具備したものが提案されている。
このストレッチャーを詳述すると、下部に転動輪を有し、前後方向が長くて左右横方向が短い平面視が略長方形状の寝台の上面部に、手動操作ハンドルによる正逆転自在な回転輪に巻き掛けられて左右に往復走行可能な走行帯を設け、この走行帯に、患者が寝た姿勢のままで乗せ得る前後方向に長い平面視が長方形状をした剛性のフレームで規制されない全体が可撓性のベルトの左右方向一端側を連結し、該ベルト自体が寝台の横端から外方へ食み出てベッド上面に直接展開可能に構成されている（特許文献１参照）。
【０００４】
このストレッチャーによれば、患者等を寝返りさせた状態で移載用のベルトを敷き込んだ後、患者等の寝返りを元に戻せば、該ベルト上に患者が位置した状態となる。その後、操作ハンドルの回転操作によってストレッチャー側に該ベルトを引き寄せれば移載できるものとなっている。
【０００５】
しかしながら、このストレッチャーを一人で使用する際には、片手でシート上に載せた患者の腰の辺りを引き寄せるようにしながら、もう片方の手で手動操作ハンドルを操作しなければうまく患者を移載することができなかった。
そのため、小柄な方が操作するには無理があった。
【特許文献１】特開昭５４−４４９４号公報
【発明の開示】
【発明が解決しようとする課題】
【０００６】
解決しようとする問題点は、一人でも患者の移載が容易にできる移載ベルトを提供することである。
【課題を解決するための手段】
【０００７】
請求項１の発明では、ストレッチャーとベッド等の移載対象物との間を往復して患者の移載を行う移載ベルトにおいて、該移載ベルトの移載対象物側の一側縁部には補助ベルトを配設し、該補助ベルトは前記移載ベルト上に患者を載せた際にストレッチャー側から把持できる長さとして、移載時に該補助ベルトにより患者を保持できるよう構成した補助ベルトを備えたことを特徴とする。
請求項２の発明では、前記補助ベルトを患者の腰部を保持する位置に配設したことを特徴とする。
請求項３の発明では、前記補助ベルトに薄板状の把持部材を装着したことを特徴とする。
【発明の効果】
【０００８】
請求項１の発明では、ストレッチャーとベッド等の移載対象物との間を往復して患者の移載を行う移載ベルトの移載対象物側の一側縁部に補助ベルトを配設している。この補助ベルトは、移載ベルトに患者を載せた際にストレッチャー側からでも把持できる長さであるとともに、補助ベルト上の患者を保持できるように構成されているので、ストレッチャー側から容易に患者の身体を保持して移載できる。また、補助ベルトは十分な長さがあるので前屈みになるような無理な姿勢ととらなくても良く、安全かつ容易に移載を行うことができる。
請求項２の発明では、患者の腰部を保持することができる位置に補助ベルトを配設したことによって、患者を適切に保持することができる。
請求項３の発明では、前記補助ベルトに薄板状の把持部材を装着したことによって、患者の身体と床面との間に、補助ベルトを容易に挿し込むことができるようになる。また、この把持部材を把持することでより力を入れ易くできる効果がある。
【実施例１】
【０００９】
以下、本発明の一実施例を図面に基づき詳細に説明する。
まず、図１に示すようにに示すようにストレッチャー１は主としてキャスター型の車輪２，２，・・・を具備したベースフレーム３と、このベースフレーム３に下端部を止着する支柱部４と、この支柱部４に支持される載置台５からなる。
【００１０】
前記ベースフレーム３は、左右にそれぞれ設けられる右フレーム６と左フレーム７とを左右方向の横フレーム８で連結して平面視において略Ｈ字状に構成し、四隅にはキャスター型の車輪２，２，・・・が取り付けられ、前後左右何れの方向にも移動自在となるように構成され、また、ベッドＢ等の下部に進入可能となるように背丈の低い構造となっている。
【００１１】
次に、上記支柱部４は前記横フレーム８の左右方向の略中間部に止着された支持部材８ａに立設するように止着されている。この支柱部４は、上記載置台５の高さを調節するために昇降機構が具備されており、昇降ハンドル９の回転操作によって適宜作動するように構成されている。
詳述すると、前記支持部材８ａに取り付けられる取付部材１０ａを内側支柱１０の下端部に固着している。そして、この内側支柱１０に外側支柱１１を外嵌して支柱部４を構成している。この支柱部４の内部に昇降機構は配されておいる。この昇降機構の一例として図面では省略しているが、内側支柱１０の上端部に螺合体を止着する一方、外側支柱１１の上端部には回転自在にネジ部材を支承させるとともに、これら螺合体とネジ部材を螺合させている。そして、前記ネジ部材の上端部と前記昇降ハンドル９の基端部にそれぞれ止着したギヤを噛合させることによって構成している。
なお、上述した昇降機構とは異なり、モーター等の駆動力あるいは油圧シリンダ等を用いた昇降機構を用いても良い。すなわち、後述する載置台５を昇降できるものであれば良く、本実施例に限定するものではない。
【００１２】
そして、前記載置台５は、図３及び図４に示すように前記支柱部４の上端部に支持される井桁状のサブフレーム１２上にボード１３を止着し、該ボード１３上にマット１４を止着して構成している。このマット１４には、適度なクッション性があり、移動中の振動等による不快感を軽減するよう構成することが好ましい。
【００１３】
また、この載置台５の下面側には後述する移載ベルト１５のスライド機構１６が配されている。
このスライド機構１６は、前記載置台５の支柱部４側から操作可能となるように操作ハンドル１７が回転自在にサブフレーム１２に支承されている。そして、該操作ハンドル１７の反ハンドル側端部にはギヤ１８が止着されており、このギヤ１８と噛合するギヤ１９を備えた回転軸２０が載置台５の長手方向に亘り、回転自在に支承された状態にある。したがって、前記操作ハンドル１７の正逆回転操作により、該回転軸２０も正逆回転するように構成されている。
なお、該回転軸２０の適所には、該回転軸２０よりも大径の巻取ドラム２１，２１，・・・が複数個固着されている。
一方、前記移載ベルト１５は、前記載置台５よりも幅狭な略長方形状となるよう構成されている。そして、この移載ベルト１５の前記支柱部４側の一側縁部に所定間隔離間させて巻き込みベルト２２，２２，・・・が縫着されている。なお、この巻き込みベルト２２には、前記載置台５の反支柱部４側を迂回するものと、前記載置台５の支柱部４側を迂回するものがある。これら巻き込みベルト２２，２２，・・・は、ボード１３の側縁部に設けた案内孔１３ａ，１３ａ，・・・に挿通され、図４に示すように上記巻取ドラム２１，２１，・・・に挿着される。
【００１４】
そして、この移載ベルト１５にはカバー２３を覆設する。このカバー２３は、例えば袋状に構成されており、開口部側から前記移載ベルト１５を挿通して、ファスナー等で抜け止め、あるいはずれ止めするよう構成したものである。また、このカバー２３には、移載ベルト１５に覆設したときに反支柱部４側となる一側縁部に補助ベルト２４を縫着している。なお、この補助ベルト２４は、繰り出しベルト１５上に患者Ｐが載ったときに患者Ｐの腰付近に位置するように縫着されるとともに、移載ベルト１５上に患者Ｐが載った際に反縫着側から容易に引き寄せられる程度の長さとしておく。
さらに、この補助ベルト２４には、へら状の把持部材２５が取付けられている。この把持部材２５には、複数の空孔部２５ａ，２５ａ，・・・が設けられており、把持部材２５を握り易くしている。
さらに、この把持部材２５には挿通孔２５ｂが設けられており、この挿通孔２５ｂに補助ベルト２４の中央部を挿通させ、ループ状の端部を巻き掛けるようにして、取付できるよう構成している。したがって、この把持部材２５は縫着された補助ベルト２４であっても後付けできるので至便である。
なお、図面における把持部材２５は上述の通りである。しかし、この把持部材２５は、患者Ｐに補助ベルト２４を挿し込み易くするためのものであるとともに、補助ベルト２４によってしっかりと患者Ｐを保持するために引き寄せ易くするためのものであれば良く、ある程度剛性を有するとともに薄板状で把持し易いものとなっておれば良く、本実施例に限定するものではない。
さらに、本実施例では移載ベルト１５に覆設するカバー２３に補助ベルト２４を縫着しているが、直接移載ベルト１５に補助ベルト２４を縫着しても良い。
【００１５】
次に、図６（ａ）〜（ｄ）に基づき、移載対象物をベッドＢとしてストレッチャー１とベッドＢ間での従来の移載手順について説明する。
まず、ベッドＢにストレッチャー１を横付けし、ベッドＢに載置台５を重ねる。次に、載置台５を下降させてベッドＢの床部の高さと載置台５の高さを合せる。その後、操作ハンドル１７の操作により、移載ベルト１５を患者Ｐ側に送り出す。このときに、患者Ｐには寝返り姿勢をとらせておく（（ａ）図参照）。
次に、患者Ｐの寝返り姿勢を仰臥姿勢に戻し、患者Ｐが移載ベルト１５上に寝た状態とする。この後、患者Ｐの腰の辺りを把持して引き寄せるようにしながら、操作ハンドル１７の操作によって移載ベルト１５を引き寄せる（（ｂ）図参照）。このとき、患者Ｐの腰を引き寄せるのは、移載ベルト１５からすべり落ちないようにするためである。
この状態で移載ベルト１５を載置台５まで引き寄せて移載を完了させる。
なお、ストレッチャー１からベッドＢへの移載でも、患者Ｐの腰辺りを引き寄せるように支えながら操作ハンドル１７を操作して移載ベルト１５をベッドＢ側へ送り出し行う。そして、ベッドＢ上で患者Ｐを寝返りさせ、移載ベルト１５を抜き取る。
【００１６】
このような移載手順の中で、図６（ｂ）に示すように看護士Ｎが患者Ｐの腰の辺りを引き寄せる姿勢は、前屈みになり力を入れにくいものであるとともに、小柄な方では手の届かない場合もあり不便であった。
しかしながら、本発明の補助ベルト２４を用いると次のような手順で移載を行うことができる。
【００１７】
以下、本発明に係る補助ベルト２４が具備された移載ベルト１５を備えたストレッチャー１を用いて、患者ＰをベッドＢから移載する際の手順について図６（ｅ）〜（ｈ）に基づき説明する。
まず、ベッドＢ上の患者Ｐを寝返り姿勢にして、移載ベルト１５を敷き込む（（ｅ）図参照）。
次に、補助ベルト２４及び把持部材２５を患者Ｐのわき腹の下に挿し込む（（ｆ）図参照）。然る後、患者Ｐを仰臥姿勢に戻す。
そして、補助ベルト２４あるいは把持部材２５をしっかりと持ち、引き寄せるようにしながら、操作ハンドル１７を操作して、移載ベルト１５を引き寄せる（（ｇ）図参照）。
然る後、移載ベルト１５が載置台５上に位置させ、移載完了となる（（ｈ）図参照）。
なお、ストレッチャー１からベッドＢへの移載でも、補助ベルト２４あるいは把持部材２５を引き寄せるようにしながら、操作ハンドル１７を操作して移載ベルト１５をベッドＢ側へ送り出し行う。そして、ベッドＢ上で患者Ｐを寝返りさせ、移載ベルト１５を引き寄せることで移載を完了する。
【００１８】
このように、補助ベルト２４を利用することで、看護士Ｎは無理な姿勢での操作ハンドル１７の操作を行わなくても良く、また、患者Ｐの腰辺りを確実にサポートできるので安全に確実な移載が行われるようになる。
さらに、看護士Ｎは一人でも患者Ｐの移載を安全に行うことができる。
なお、本実施例においてはスライド機構１６によって移載ベルト１５が往復移動するよう構成したストレッチャー１を例示しているが、このスライド機構１６を具備していないストレッチャーに使用する場合には、移載ベルト１５またはカバー２３の反補助ベルト２４縫着側に引き手となるベルトを縫着しておき、このベルトと前記補助ベルト２４若しくは把持部材２５を同時に把持できるよう構成すれば良い。
【図面の簡単な説明】
【００１９】
【図１】本発明に係る補助ベルトを設けたストレッチャーを示す全体斜視図
【図２】使用状態を示す説明図
【図３】ストレッチャーのスライド機構を示す平面図
【図４】その側断面図
【図５】補助ベルトを設けたカバーを示す全体平面図
【図６】使用方法説明図
【符号の説明】
【００２０】
１    ストレッチャー
３    ベースフレーム
４    支柱部
５    載置台
１５  移載ベルト
２２  巻き込みベルト
２３  カバー
２４  補助ベルト
２５  把持部材
【図１】
2008206554.tif 000003
【図２】
2008206554.tif 000004
【図３】
2008206554.tif 000005
【図４】
2008206554.tif 000006
【図５】
2008206554.tif 000007
【図６】
2008206554.tif 000008